(57)【特許請求の範囲】
【請求項１】
年月日及び時刻等の判断が可能な時計手段と、
設定された時刻に合わせて自動的に装置をＯＮ／ＯＦＦするタイマ手段と、
サマータイム制における標準時間帯から夏時間帯への切り替わり、或いは夏時間帯から標準時間帯への切り替わりの際に、時計手段の時刻設定を変更することなくタイマ手段の設定時刻を自動的に追従させる制御手段と、
を備え、前記タイマ手段によるＯＮ期間が深夜０時をまたがって二日に渡っている場合、標準時間帯と夏時間帯の切り替わり当日に限り、ＯＦＦ時刻を切り替わり前の時間帯のＯＦＦ時刻のままとしておくことを特徴とする画像形成装置。
【請求項２】
標準時間帯用と夏時間帯用の独立したタイマ設定時刻の格納メモリを備え、タイマ手段の時刻設定がなされた際には同時に前記両格納メモリへの時刻セットを行うことを特徴とする請求項１記載の画像形成装置。
【請求項３】
標準時間帯用のタイマ設定時刻の格納メモリのみを備え、夏時間帯での動作中は標準時間帯と夏時間帯の時間差をオフセットとして動作させることを特徴とする請求項１記載の画像形成装置。
【請求項４】
夏時間帯での動作中にタイマ設定時刻を再表示する際には、標準時間帯と夏時間帯の時間差を加味して時刻表示を行うことを特徴とする請求項３記載の画像形成装置。
【請求項５】
標準時間帯から夏時間帯への切り替わり、或いは夏時間帯から標準時間帯への切り替わりの際に、前記制御手段によるタイマ手段の設定時刻を自動的に追従させる機能の有効／無効を設定する手段を備えていることを特徴とする請求項１記載の画像形成装置。
【発明の詳細な説明】
【０００１】
【発明の属する技術分野】
設定時刻に従い装置のＯＮ／ＯＦＦ制御を行うタイマ手段（機能）を有する画像形成装置に係り、特に、サマータイムの導入に自動的に対応できる画像形成装置に関する。
【０００２】
【従来の技術】
近年においては、環境問題の観点から欧米諸国だけでなく世界的にサマータイム制の導入が検討されている。また、同じく省エネルギーへの対応機能として、複写機等の画像形成装置には設定された時刻に電源がＯＮ／ＯＦＦするタイマ手段（機能）等が搭載されていることが多い。タイマ手段（機能）は、各日もしくは各曜日ごとにＯＮ時刻、ＯＦＦ時刻を設定し、その時刻に合わせて電源のＯＮ、ＯＦＦを実施するといったものが一般的である。
【０００３】
このような技術に関連する技術としてたとえば、
１）特開平６−２８４２３６号公報
２）特開平６−３２６７９４号公報
３）特開平８−１７２５０１号公報
などに記載された発明が公知である。
【０００４】
１）に係る発明は、標準時間帯と夏時間帯の切替手段を提供するものであり、２）に係る発明は、夏時間帯での動作中であることを示す識別情報を付加するものであり、３）に係る発明は、時刻設定の変更なしで夏時間帯での日付時刻を表示可能とするものである。
【０００５】
【発明が解決しようとする課題】
これらの各公知例においては、切り替えや動作、あるいは表示の基準となる時計機能はいわゆる時計ＩＣなどによるもので、装置の初期設定的な位置づけで扱われる。そのため、夏時間帯への切り替わりが起きた場合には、タイマ機能をこれに追従させるために、タイマの設定時刻を再設定するか、時計ＩＣの時刻自体を変更しなければならない。この設定は、サービスマンが行うか、ユーザ自身で行わなければならない。サービスマンが行うには、サービスマンのメンテナンス工程が増えることになり、当然、コストの上昇を引き起こす。また、ユーザ自身が設定する場合には、ユーザにとって面倒であるばかりでなく、誤操作のおそれもあり、設定が正常に行われるという保証はない。設定が正常に行われないと、結局、サービスマンが設定することになり、この点でもメンテナンス工程が増え、前述の問題が発生する。
【０００６】
本発明は、斯かる点に鑑みてなされたもので、その目的は、タイマ手段によるＯＮ期間が深夜０時をまたがり二日に渡る場合、時間帯の切り替わり当日に限り、ＯＦＦ時刻を切り替わり前の時刻のままとすることで、１日あたりに装置を利用できる時間が短縮されないようにすることにある。
【０００７】
さらに具体的には、本発明の目的は、標準時間帯と夏時間帯の切り替わりが発生した場合であっても、両時間帯の時間差を元に、装置がタイマ手段の設定時刻を自動的に追従させることにある。
【０００８】
他の目的は、オペレータが標準時間帯／夏時間帯を意識することなくタイマ手段の時刻を設定できるようすることにある。
【０００９】
さらに他の目的は、標準時間帯用のタイマ設定時刻の記憶メモリしかもたず、夏時間帯に対しては、両時間帯の時間差をオフセットとして動作させることで、消費メモリが少ない場合にでも対応できるようにすることにある。
【００１０】
さらに他の目的は、標準時間帯用のタイマ設定時刻しかメモリに記憶していない場合であっても、夏時間帯での動作中にタイマ設定時刻を再表示する際には、夏時間を基準とした時刻としてオペレータに提示することができるようにすることにある。
【００１１】
さらに他の目的は、標準時間帯／夏時間帯の切り替わりの際にタイマ手段の時刻を追従させるかどうかを、オペレータが選択できるようにすることにある。
【００１２】
さらに他の目的は、タイマ手段によるＯＮ期間が深夜０時をまたがり二日に渡る場合、時間帯の切り替わり当日に限り、ＯＦＦ時刻を切り替わり前の時刻のままとすることで、１日あたりに装置を利用できる時間が短縮されないようにすることにある。
【００１３】
【発明を解決するための手段】
第１の手段は、年月日及び時刻等の判断が可能な時計手段（機能−以下、同様）と、設定された時刻に合わせて自動的に装置をＯＮ／ＯＦＦするタイマ手段（機能−以下、同様）と、いわゆるサマータイム制における標準時間帯から夏時間帯への切り替わり、或いは夏時間帯から標準時間帯への切り替わりの際に、時計手段の時刻設定を変更することなくタイマ手段の設定時刻を自動的に追従させる制御手段とを備え、タイマ手段によるＯＮ期間が深夜０時をまたがって二日に渡っている場合、標準時間帯と夏時間帯の切り替わり当日に限り、ＯＦＦ時刻を切り替わり前の時間帯のＯＦＦ時刻のままとしておくことを特徴とする。
【００１４】
第２の手段は、第１の手段において、標準時間帯用と夏時間帯用の独立したタイマ設定時刻の格納メモリを備え、タイマ手段の時刻設定がなされた際には同時に双方の設定時刻格納メモリへの時刻セットを行うことを特徴とする。
【００１５】
第３の手段は、第１の手段において、標準時間帯用のタイマ設定時刻の格納メモリだけを具備し、夏時間帯での動作中は標準時間帯と夏時間帯の時間差をオフセットとして動作させることを特徴とする。
【００１６】
第４の手段は、第３の手段において、夏時間帯での動作中にタイマ設定時刻を再表示する際には、標準時間帯と夏時間帯の時間差を加味して時刻表示を行うことを特徴とする。
【００１７】
第５の手段は、第１の手段において、標準時間帯から夏時間帯への切り替わり、或いは夏時間帯から標準時間帯への切り替わりの際に、タイマ手段の設定時刻を自動的に追従させる制御手段の有効／無効を設定可能な手段を具備し、該手段により切替可能であることを特徴とする。
【００１９】
この場合、タイマ手段の時刻設定を、予め標準時間帯用と夏時間帯用の二通り設定できるようにするとよい。これにより、標準時間帯用のタイマ時刻設定と、夏時間帯用のタイマ時刻設定を独立に設定可能とすることで、時間帯切り替わり時に変化するタイマ手段の設定時刻を、標準時間と夏時間の時間差とは関係なくオペレータの意志で決定できる。
【００２０】
【発明の実施の形態】
以下、本発明の実施形態について、図面を参照して説明する。
【００２１】
＜第１の実施形態＞
図１は本発明の第１の実施形態に係る画像形成装置としてのデジタル複写機の制御部の構成を示すブロック図である。なお、同図において、太線で記した矢印は画像データの流れを示す。また、デジタル複写機の一般的な構成や処理などは公知なので、ここでは説明を省略する。
【００２２】
本実施形態に係る画像形成装置の制御部は、ＣＣＤ１０１、読み取り制御部１０２、画像処理部１０３、書き込み制御部１０４、ＬＤ１０５、印字制御部１０６、ＣＰＵ１１１および時計ＩＣ１１７から主に構成されている。すなわち、図示しないコンタクトガラス上にセットされた紙原稿はＣＣＤ１０１によって読み取られ、読み取り制御部１０２に送られる。読み取り制御部１０２ではＡ／Ｄ変換等が行われる。読み取り制御部１０２から画像データは画像処理部１０３、書き込み制御部１０４へと流れ、ＬＤ１０５に出力される。これにより図示しない感光体ドラム上へのレーザ書き込みがなされ、図示しない帯電処理とあわせ、静電潜像がつくられる。
【００２３】
パターン画像を原稿画像と合成して出力するスタンプモードのときには、画像処理部１０３からの原稿画像の出力に同期して、印字ＲＡＭ１０７に格納されているパターン画像データが印字制御部１０６によって出力され、合成された画像が書き込み制御部１０４へ流れる。印字制御部１０６は印字ＲＡＭ１０７の内容と原稿画像を合成するか否かの切換を行う。
【００２４】
これらを制御するのがＣＰＵ１１１で、ＲＯＭ１１８に格納されたプログラムにより動作する。ＲＡＭ１１９はプログラム実行用のワークメモリである。また、読み取り制御部１０２、画像処理部１０３、書き込み制御部１０４、印字制御部１０６および後述のＬＥＤ制御部１１３とＣＰＵ１１９とはアドレスバス、データバスで接続されている。ＲＯＭ１１８にはプログラムのほかにも操作部表示用の言語データ（文字フォント、テキスト、アイコン用ビットマップデータ）やスタンプ印字画像用ビットマップデータが格納されている。
【００２５】
不揮発ＲＡＭ１１０は、電源が遮断されても記憶しておく必要のある設定内容や機械状態を記憶する。印字ＲＡＭ１１７は用意されるスタンプすべてのビットマップが格納できるほど大きくはなく、大抵１スタンプ分の大きさに抑えられている。スタンプモードの際はＲＯＭ１１８に格納されている印字画像用ビットマップデータの中から選択されたスタンプのデータをＣＰＵ１１１により印字制御部１１６を介して印字ＲＡＭ１１７へロードされる。印字制御部１１６ではスタンプデータの原稿画像に対する合成位置を指定可能であり、操作部入力に応じてＣＰＵ１１１により設定される。位置は右上、右下、左上、左下などである。ＣＰＵ１１１は、搭載している時計ＩＣ１１７のカウンタをリードすることにより、年月日時分秒のデータ得る。ＬＣＤモジュール１１４は操作部上に配置され、ＣＰＵ１１１がＬＣＤ制御部１１３を介してＶＲＡＭ１１２に展開したビットマップを表示する。
【００２６】
図２は、ＬＣＤモジュール１１４からなる操作部の外観を示した正面図である。中央にはＬＣＤ表示部２０１があり、ガイダンスやモード選択キー等が表示される。ＬＣＤ表示部２０１にはタッチパネルシート（図示せず）等が重ねられ、タッチパネルを介してモード選択等が可能である場合が多い。２０２〜２０７は図１におけるキースイッチ１１６に対応し、入力ポート１１５を介してＣＰＵ１１１が押下状態を検出する。
【００２７】
図３は時計ＩＣのカウンタ内容を示す説明図で、アドレス３０１、カウンタ内容３０２、およびカウント値３０３とが関係付けられている。４ｂｉｔで示される各アドレス３０１には、予め決められたデータが格納されており、このカウント値３０３の参照結果を合成することにより、秒から年までを表すことができ、これによって時刻として扱うことが可能となる。
【００２８】
図４はオペレータや管理者の使い勝手に合わせて装置の設定を行う初期設定モードの操作部の表示画面例である。この画面は、操作部上の初期設定キー２０７を押すことにより表示され、各種設定項目が選択可能となる。例えば、[９]タイマ機能設定を選択すると、画面はタイマ機能に関する設定画面に遷移し、ＯＮ時刻４２２，４２４、ＯＦＦ時刻４２３，４２５やサマータイムへの対応４２６〜４２８等の設定が行える。タイマ機能とは設定した時刻になると装置を自動的にＯＮ／ＯＦＦする機能である。ただし、装置をＯＦＦした場合であっても、制御部のみは電源を供給し続ける。
【００２９】
図５はタイマ機能の動作手順を示すフローチャートである。なお、以下の各フローチャートに示した処理は前述のようにＲＯＭ１１８に記憶されているプログラムに従ってＣＰＵ１１１が実行する。
【００３０】
同図において、タイマ機能の動作では、まず、時計ＩＣ１１７から現在時刻を調べ（ステップ５０１）、続いてタイマ機能のＯＮ／ＯＦＦ設定時刻を調べる（ステップ５０２）。そして、時計機能がＯＮ期間中かどうかを判定し（ステップ５０３）、現在時刻がＯＮ期間中にあたる場合はＯＦＦ設定時刻と（ステップ５０４）、ＯＦＦ期間中にあたる場合はＯＮ設定時刻とそれぞれ比較する（ステップ５０７）。そして、ステップ５０４で比較した結果、ＯＦＦ時刻と一致すれば（ステップ５０５−Ｙ）、装置の電源をＯＦＦする（ステップ５０６）。また、ステップ５０７で比較した結果、ＯＮ時刻と一致すれば（ステップ５０８−Ｙ）、装置の電源をＯＮする（ステップ５０９）。そして、所定時間（例えば１分間）の経過を待った後、この動作を繰り返す。
【００３１】
図６は、標準時間帯から夏時間帯への切り替わり、あるいは夏時間帯から標準時間帯への切り替わりの際に、タイマ設定時刻を追従させる動作手順を示すフローチャートである。
【００３２】
この動作では、時間帯の切り替わりが発生し、それが夏時間帯への切り替わりである場合は（ステップ６０１−Ｙ）、ＯＮ設定時刻とＯＦＦ設定時刻を１時間早めた時刻に設定しなおす（ステップ６０２，６０３）。一方、標準時間帯への切り替わりである場合は（ステップ６０１−Ｎ）、１時間遅らせた時刻に設定しなおす（ステップ６０４，６０５）。なお、この動作は請求項１に対応している。
【００３３】
図７は、タイマ設定時刻の記憶メモリを、標準時間用／夏時間用独立して設けた時のタイマ時刻設定動作を示すフローチャートである。
【００３４】
この動作手順では、まず、ＯＮ時刻設定かどうかをチェックし、ＯＮ時刻設定であれば（ステップ７０１−Ｙ）、ＯＮ時刻の入力待ち状態となり（ステップ７０５）、［＃］キー２０６押下で設定時刻が確定すると（ステップ７０６）、標準時刻用のメモリには設定時刻そのものを、夏時間用のメモリには設定時刻から１時間引いた時刻をセットする（ステップ７０７）。一方、ステップ７０１のチェックでＯＦＦ時刻設定である場合（ステップ７０１−Ｎ）、ＯＦＦ時刻の入力待ち状態となり（ステップ７０２、７０３）、同様に［＃］キー２０６押下で設定時刻が確定すると（ステップ７０４）、標準時刻用のメモリには設定時刻そのものを、夏時間用のメモリには設定時刻から１時間引いた時刻をセットする（ステップ７０７）。
【００３５】
図８は、タイマ設定時刻の記憶メモリを、標準時間用／夏時間用独立して設けた時のタイマ機能動作を示すフローチャートである。
【００３６】
この動作手順では、まず、時計ＩＣ１１７から現在の時刻を調べ（ステップ８０１）、ＯＮ期間中であり（ステップ８０２）、更に夏時間帯での動作中である場合は（ステップ８１０−Ｙ）、夏時間帯でのＯＦＦ時刻を調べ（ステップ８１２）、標準時間帯での動作中である場合は（ステップ８１０−Ｎ）、標準時間帯でのＯＦＦ時刻を調べる（ステップ８１１）。そして、現在時刻とＯＦＦ時刻の比較を行い（ステップ８１３）、一致した場合のみ装置の電源をＯＦＦする（ステップ８１５）。一方、ＯＦＦ期間中である場合（ステップ８０２−Ｎ）も同様で、夏時間帯での動作中である場合は（ステップ８０３−Ｙ）、夏時間帯でのＯＮ時刻を調べ（ステップ８０５）、標準時間帯での動作中である場合は（ステップ８０３−Ｎ）、標準時間帯でのＯＮ時刻を調べる（ステップ８０４）。次いで、現在時刻とＯＮ時刻の比較を行い（ステップ８０７）、一致した場合のみ装置の電源をＯＮする（ステップ８０８）。その後、所定時間（例えば１分間）の経過を待って動作を繰り返す（ステップ８０９）。なお、この動作は請求項２に対応している。
【００３７】
図９は、タイマ設定時刻の記憶メモリを標準時間用のもののみ設けた時のタイマ時刻設定動作の動作手順を示すフローチャートである。
【００３８】
この動作手順では、ＯＮ時刻設定である場合（ステップ９０１）、ＯＮ時刻の入力待ち状態となり（ステップ９０５）、［＃］キー２０６押下で設定時刻が確定すると（ステップ９０６）、標準時刻用のメモリに設定時刻そのものをセットする（ステップ９０７）。一方、ＯＦＦ時刻設定である場合（ステップ９０１）、ＯＦＦ時刻の入力待ち状態となり（ステップ９０２，９０３）、同様に［＃］キー２０６押下で設定時刻が確定すると（ステップ９０４）、標準時刻用のメモリに設定時刻そのものをセットする（ステップ９０７）。
【００３９】
図１０は、タイマ設定時刻の記憶メモリを、標準時間用のもののみ設けた時のタイマ機能動作の動作手順を示すフローチャートである。
【００４０】
この動作手順では、時計ＩＣから現在の時刻を調べ（ステップ１００１）、ＯＮ期間中であれば（ステップ１００２−Ｙ）、ＯＦＦ時刻を（ステップ１０１０）、ＯＦＦ期間中であればＯＮ時刻を（ステップ１００３）をそれぞれ調べる。夏時間帯での動作中である場合は（ステップ１００４，１０１１−Ｙ）、設定時刻に対して１時間早めた時刻とし（ステップ１００５，１０１２）、標準時間帯での動作中である場合は（ステップ１００４，１０１１−Ｎ）、設定値のままとする。そして、現在時刻と設定時刻の比較を行い（ステップ１００６，１０１３）、一致した場合のみ（ステップ１００７，１０１４−Ｙ）装置の電源をＯＮ／ＯＦＦする（ステップ１００８，１０１５）。その後、所定時間（例えば１分間）の経過を待って動作を繰り返す（ステップ１００９）。なお、この動作は請求項３に対応している。
【００４１】
図１１は、初期設定モードのタイマ機能設定画面を表示する際の、画面上に表示する設定時刻の決定動作の動作手順を示すフローチャートである。
【００４２】
この動作手順では、タイマ設定時刻の記憶用メモリから設置時刻を読み出し（ステップ１１０１）、夏時間帯での動作中であれば（ステップ１１０２−Ｙ）、読み出したデータに対して１時間早めた時刻を表示する（ステップ１１０３，１１０４）。一方、標準時間帯での動作中であれば（ステップ１１０２−Ｎ）、読み出したデータをそのまま表示する（ステップ１１０４）。なお、この動作は請求項４に対応している。
【００４３】
図１２は、図４のタイマ機能設定の画面中にある「サマータイム対応」の設定結果を考慮したタイマ機能の動作を示すフローチャートである。
【００４４】
この動作手順では、時計ＩＣ１７から現在時刻を調べ（ステップ１２０１）、ＯＮ期間中であれば（ステップ１２０２−Ｙ）、ＯＦＦ時刻を（ステップ１２１１）、ＯＦＦ期間中であればＯＮ時刻（ステップ１２０３）をそれぞれ調べる。そして、サマータイム対応が［する］に設定されており（ステップ１２０４，１２１２−Ｙ）、更に夏時間帯での動作中である場合は（ステップ１２０５，１２１３−Ｙ）、調べたＯＮ／ＯＦＦ時刻に対して１時間早めた時刻とする（ステップ１２０６，１２１４）。一方、サマータイム対応が［しない］に設定されている場合（ステップ１２０４，１２１２−Ｎ）、あるいは標準時間帯での動作中である場合（ステップ１２０５，１２１３−Ｎ）は、調べたＯＮ／ＯＦＦ時刻そのままとする。そして、現在時刻とＯＮ／ＯＦＦ時刻の比較を行い（ステップ１２０７，１２１５）、一致した場合のみ（ステップ１２０８，１２１６）、装置の電源ＯＮ／ＯＦＦを実行する（ステップ１２０９，１２１７）。その後、所定時間（例えば１分間）の経過を待った後、動作を繰り返す（ステップ１２１０）。この動作は請求項５に対応している。
【００４５】
＜第２の実施形態＞
図１３ないし図１５は第２の実施形態に係る画像形成装置を説明するためのもので、第１の実施形態と同等な各部および同等な動作については説明は省略し、この実施形態独特の構成および動作についてのみ説明する。また、図１に示した制御部の構成、図２に示した操作部の外観、図３に示した時計ＩＣのカウンタ内容は前述の第１の実施形態と同等に構成されているので、ここでの説明は省略する。
【００４６】
図１３は第１の実施形態における図４に対応する初期設定モードの表示画面の一例を示す。この実施形態の場合も、図２に示す操作部上の初期設定キー２０７を押圧操作することによって表示され、各種設定項目が選択可能となる。［９］タイマ機能設定を選択すると、画面はタイマ機能に関する設定画面に遷移し、ＯＮ時刻１３２２，１３２６，１３２８とＯＦＦ時刻設定１３２３，１３２５，１３２９が、標準時間用および夏時間用別々に設定できるようになっている。
【００４７】
また、タイマ機能の動作手順は前述の図５に示したフローチャートと同等である。
【００４８】
図１４は、標準時間帯から夏時間帯への切り替わり、あるいは夏時間帯から標準時間帯への切り替わりの際に、タイマ設定時刻を追従させる動作を示すフローチャートである。
【００４９】
この動作では、まず、タイマ機能の設定時刻を調べ（ステップ１４０１）、時間帯の切り替わりが発生し、それが夏時間帯への切り替わりである場合は（ステップ１４０２）、ＯＮ設定時刻を１時間早めた時刻に設定しなおし（ステップ１４０３）、ＯＦＦ設定時刻はＯＮ設定時刻よりも遅い時間設定であった場合（深夜０時をまたいで二日に渡る設定となる場合）に限り、１時間早めた時刻に設定しなおす（ステップ１４０４，１４０５）。標準時間帯への切り替わりである場合も同様で（ステップ１４０２−Ｎ）、１時間遅らせた時刻に設定しなおす（ステップ１４０６，１４０７）。一方、ＯＦＦ設定時刻がＯＮ設定時刻よりも早い時間設定であった場合は、２４時間待った後で（１４０９，１４１０，１４１２，１４１３）ＯＦＦ時間の変更を行う（１４１１，１４１４）。この動作は請求項６に対応している。
【００５０】
図１５は、図４のタイマ機能設定画面において、標準時間帯用のＯＮ時刻と、夏時刻用のＯＦＦ時刻の設定動作の動作手順を示すフローチャートである。
【００５１】
この動作では、ＯＮ時刻設定である場合（ステップ１５０１）、ＯＮ時刻の入力待ち状態となり（ステップ１５０５）、［＃］キー２０６押下で設定時刻が確定すると（ステップ１５０６）入力対象の時間帯を調べ（ステップ１５０７）、対象が標準時間帯である場合は標準時間帯用の時刻として（ステップ１５０８−Ｎ，１５０９）、対象が夏時間帯である場合は夏時間帯用の時刻として設定する（１５０８−Ｙ，１５１０）。ＯＦＦ時刻設定である場合も、設定時刻がＯＦＦ時刻に変わるだけで、動作は同様である（ステップ１５０２，１５０３，１５０４，１５０７，１５０８，１５０９，１５１０）。
【００５２】
標準時間帯用と夏時間帯用の時刻設定を独立に行う場合のタイマ機能の動作は第１の実施形態における図８のフローチャートに示した手順で行われる。
【００５３】
【発明の効果】
以上のように請求項１記載の発明によれば、標準時間帯と夏時間帯の切り替わりの影響で、タイマ手段（機能）で設定した１日に装置を利用できる時間が短縮されてしまうことがなくなり、操作性を向上させることができる。
【００５４】
請求項２記載の発明によれば、オペレータが標準時間帯と夏時間帯を意識することなく両時間帯でのタイマ手段（機能）の時刻設定を同時に行うことが可能となり、操作性を向上させることができる。
【００５５】
請求項３記載の発明によれば、タイマ手段（機能）の設定時刻を記憶しておくためのメモリを少量化でき、コストダウンにつながる。
【００５６】
請求項４記載の発明によれば、標準時間帯用のタイマ設定時刻の記憶メモリしか持たない場合であっても、動作中の時間帯に合わせたタイマ設定時刻表示をオペレータに提示することが可能となり、操作性を向上させることができる。
【００５７】
請求項５記載の発明によれば、標準時間帯／夏時間帯の切り替わりの際にタイマ機能の時刻を追従させるかどうかをオペレータが選択可能とすることで、オペレータの意志を反映させることが可能となり、操作性を向上させることができる。
【図面の簡単な説明】
【図１】本発明の第１の実施形態に係る画像形成装置の制御系の構成を示すブロック図である。
【図２】本発明の第１の実施形態に係る画像形成装置の操作表示部の状態を示す正面図である。
【図３】図１における時計ＩＣのカウンタ内容を示す説明図である。
【図４】オペレータや管理者の使い勝手に合わせて装置の設定を行う初期設定モードの操作部の表示画面の一例を示す図である。
【図５】第１の実施形態におけるタイマ機能の動作手順を示すフローチャートである。
【図６】第１の実施形態における標準時間帯から夏時間帯への切り替わり、あるいは夏時間帯から標準時間帯への切り替わりの際に、タイマ設定時刻を追従させる動作手順を示すフローチャートである。
【図７】第１の実施形態におけるタイマ設定時刻の記憶メモリを、標準時間用／夏時間用独立して設けた時のタイマ時刻設定動作を示すフローチャートである。
【図８】第１の実施形態におけるタイマ設定時刻の記憶メモリを、標準時間用／夏時間用独立して設けた時のタイマ機能動作を示すフローチャートである。
【図９】第１の実施形態におけるタイマ設定時刻の記憶メモリを標準時間用のもののみ設けた時のタイマ時刻設定動作の動作手順を示すフローチャートである。
【図１０】第１の実施形態におけるタイマ設定時刻の記憶メモリを、標準時間用のもののみ設けた時のタイマ機能動作の動作手順を示すフローチャートである。
【図１１】第１の実施形態における初期設定モードのタイマ機能設定画面を表示する際の、画面上に表示する設定時刻の決定動作の動作手順を示すフローチャートである。
【図１２】第１の実施形態におけるサマータイム対応の設定結果を考慮したタイマ機能の動作を示すフローチャートである。
【図１３】第２の実施形態における初期設定モードの表示画面の一例を示す図である。
【図１４】第２の実施形態における標準時間帯から夏時間帯への切り替わり、あるいは夏時間帯から標準時間帯への切り替わりの際に、タイマ設定時刻を追従させる動作を示すフローチャートである。
【図１５】第２の実施形態における標準時間帯用のＯＮ時刻と、夏時刻用のＯＦＦ時刻の設定動作の動作手順を示すフローチャートである。
【符号の説明】
１０１  ＣＣＤ
１０２  読み取り制御部
１０３  画像処理部
１０４  書き込み制御部
１０５  ＬＤ
１０６  印字制御部
１０７  印字ＲＡＭ
１０８  ＲＯＭ
１０９  ＲＡＭ
１１０  不揮発ＲＡＭ
１１１  ＣＰＵ
１１２  ＶＲＡＭ
１１３  ＬＣＤ制御部
１１４  ＬＣＤ
１１５  入力ポート
１１６  キー
１１７  時計ＩＣ
２０１  ＬＣＤ表示部
【図１】
0003779526.tif 000002
【図２】
0003779526.tif 000003
【図３】
0003779526.tif 000004
【図４】
0003779526.tif 000005
【図５】
0003779526.tif 000006
【図６】
0003779526.tif 000007
【図７】
0003779526.tif 000008
【図８】
0003779526.tif 000009
【図９】
0003779526.tif 000010
【図１０】
0003779526.tif 000011
【図１１】
0003779526.tif 000012
【図１２】
0003779526.tif 000013
【図１３】
0003779526.tif 000014
【図１４】
0003779526.tif 000015
【図１５】
0003779526.tif 000016